(57)【要約】      （修正有）【課題】箸や筆記具の持ち方を矯正する道具であって、指に装着して容易に取り外すことができ、力が入りづらい指に対しても安定した把持を実現でき、適切な把持方法を習慣付ける矯正把持具を提供する。【解決手段】矯正把持具１は、開口された略円環状の指留め部２と、円柱状又は角柱状の把持部３と、で構成され、把持部３から見た一端側３ａは大きく傾斜し、他端側３ｂは平坦又は若干の傾斜があることから、一端が先細りした形状を呈している。このように、両端の断面形状や大きさが異なり、一端は小さく、他端は大きいことから、薬指に指留め部２を装着し、他端側３ｂで掌の空間形成を補助するとともに、一端側３ａを小指で把持して小指を固定することから、力が入りづらいとされる薬指と小指に対しても安定した把持を実現することができる。【選択図】図１
0003198529.tif 000002
【実用新案登録請求の範囲】
【請求項１】
指への着脱が容易に可能な略円環状の指留め部と、
掌に握り込まれ長手方向の一端が他端よりも先細りした角柱状又は円柱状の把持部と、
を有し、
前記把持部の他端寄りに前記指留め部が固着されていることを特徴とする矯正把持具。
【請求項２】
前記指留め部と前記把持部とが固着された当接面よりも当該当接面の反対面の傾斜が大きいことを特徴とする請求項１記載の矯正把持具。
【請求項３】
前記反対面は、前記指留め部の位置から一端にかけて傾斜していることを特徴とする請求項２記載の矯正把持具。
【考案の詳細な説明】
【技術分野】
【０００１】
本考案は、箸や筆記具といった被把持具の持ち方を矯正して、適切な把持方法を習慣付ける矯正把持具に関する。
【背景技術】
【０００２】
箸や筆記具といった被把持具を適切に把持するには、親指，人差し指，中指の３本で被把持具を固定して、所望の動作を３本の指で行うことになる。
【０００３】
このため、３本の指使いを補助するために考案されたおたすけボールが存在する（特許文献１）。このおたすけボールは、被把持具をおたすけボール本体に取り付け、本体の球部分を掌内に握り、親指，人差し指，中指の添え方を補助するものであり、球部分は柔軟素材を生かした形状と機能となっている。
【先行技術文献】
【特許文献】
【０００４】
【特許文献１】実用新案登録第３１４５４３７号公報（図１、段落［０００９］）
【考案の概要】
【考案が解決しようとする課題】
【０００５】
しかしながら、特許文献１のおたすけボールの球部分は柔軟素材であるために、利用者の掌内の空間にふんわりと寄り添い、無理なく正しい持ち方ができる等の利点を有する反面、薬指と小指の把持力を奪っているという問題点がある。すなわち、乳幼児・園児・児童といった子供は、指一本一本のコントロールが自在に効かないことから、５本指全部で被把持具を把持しようとして正しい持ち方ができないことが多く、特に薬指と小指のコントロールが効きにくく力が入らないといった指摘がある。この点、特許文献１のおたすけボールでは薬指及び小指の把持力は柔軟素材の球部分で吸収されてしまい、薬指及び小指が不安定である。
【０００６】
また、従来の持ち方補助具は、被把持具に取り付けたり、被把持具自体を改良したものが多く、人間の指に装着して容易に取り外すことができるタイプのものは存在しない。
【０００７】
本考案はこのような点に鑑みてなされたものであり、その目的は、指に装着して容易に取り外すことができ、力が入りづらい指に対しても安定した把持を実現でき、適切な把持方法を習慣付ける矯正把持具を提供することにある。
【課題を解決するための手段】
【０００８】
上記課題を解決するために、本考案は、以下のものを提供する。
【０００９】
（１）  指への着脱が容易に可能な略円環状の指留め部と、掌に握り込まれ長手方向の一端が他端よりも先細りした円柱状又は角柱状の把持部と、を有し、前記把持部の他端寄りに前記指留め部が固着されていることを特徴とする矯正把持具。
【００１０】
本考案によれば、把持部の一端が他端よりも先細りしており、他端寄りに指留め部が固着されていることから、薬指を指留め部に装着した際、指留め位置に近い他端側を掌の中心に位置させて掌の空間形成を補助するとともに、指留め位置に遠い先細りした一端側を小指で把持して小指を固定することから、力が入りづらいとされる薬指と小指に対しても安定した把持を実現することができる。
【００１１】
また、指の短い小指で把持される一端側を先細り形状とし、指の長い中指と薬指とで掌を包むように空間形成する他端側を大きくしていることから、指の長短を考慮した使い勝手の良い矯正把持具を提供でき、適切な把持方法を習慣付けることができる。
【００１２】
（２）  前記指留め部と前記把持部とが固着された当接面よりも当該当接面の反対面の傾斜が大きいことを特徴とする矯正把持具。
【００１３】
本考案によれば、指の付け根が位置することになる当接面は略平坦状又は若干の傾斜面で形成され、反対面の傾斜が大きくなって先細り形状を形成していることから、当接面への指の位置を不自然にすることなく、小指を把持部で握って固定することで適切な安定性を保つことができる。例えば、当接面と反対面との傾斜を同じようにすると、指の付け根と把持具の間に余計な空間が形成されてしまい、力が入りづらいとされる薬指と小指に対して安定した把持を実現することができなくなるが、当接面の傾斜を抑えることで余計な空間の形成をなくすことができる。
【００１４】
（３）  前記反対面は、前記指留め部の近傍位置から一端にかけて傾斜していることを特徴とする矯正把持具。
【００１５】
本考案によれば、反対面は指留め部の位置から一端にかけて傾斜していることから、力が入りづらいとされる薬指と小指に対して安定した把持を実現することができる。
【考案の効果】
【００１６】
本考案の矯正把持具は、力が入りづらいとされる薬指と小指に対しても安定した把持を実現することができ、適切な把持方法を習慣付けることができるという効果がある。
【図面の簡単な説明】
【００１７】
【図１】本考案の実施の形態に係る矯正把持具を示す図。
【図２】本考案の実施の形態に係る矯正把持具の他の例を示す図。
【考案を実施するための最良の形態】
【００１８】
以下、本考案の実施の形態について図面に基づいて説明する。
【００１９】
図１は、本考案の実施の形態に係る矯正把持具１を示す図であり、（ａ）は正面図、（ｂ）は平面図である。矯正把持具１は、略円環状の指留め部２と、円柱状又は角柱状の把持部３と、で構成され、未成熟で指一本一本のコントロールが自在に効かない子供のみならず、被把持具の持ち方を矯正するために大人でも使用可能である。
【００２０】
指留め部２は、指への着脱が容易に可能となるように開口された略円環状としているが、閉口されていてもよい。開口部分が自在に開閉できるような部材（可撓性ゴム、ステンレス等）で形成され、さらにこれらの部材は洗浄かつ乾燥が容易に可能であることから、衛生面も優れている。
【００２１】
把持部３は、角部をＲ状にして丸みをつけた角柱状や円柱状であり、掌で握り込んだ際の刺激や痛みを防いでいる。把持部２から見た一端側３ａは大きく傾斜し、他端側３ｂは平坦又は若干の傾斜があることから、一端が先細りした形状を呈している。この一端側３ａを小指で把持することで、小指を安定させる。
【００２２】
指留め部２と把持部３との当接面４と当接面４の反対面５とは、当接面４よりも反対面５の傾斜が大きくなっている。また、反対目５は、指留め部２の位置から一端にかけて傾斜しており、他端にかけては平坦又は若干の傾斜となっている。このように、両端の断面形状や大きさが異なり、一端は小さく、他端は大きいことから、他端側３ｂで掌の空間形成を補助するとともに、一端側３ａを小指で把持して小指を固定することから、力が入りづらいとされる薬指と小指に対しても安定した把持を実現する。
【００２３】
また、把持部３には当接窪み部６が形成され、当接面４における指留め部２との当接位置を調節している。この当接位置を自在に調節することで、使用者の指の大きさや形状に適した矯正把持具を提供することができる。
【００２４】
さらに、図２に示すように、把持部３には小指窪み部７を形成して、小指の位置を案内することができる。これによれば、薬指に指留め部２を装着し、小指と中指を一端又は他端のどの方向に位置決めすればいいのかを可視化するとともに、使用者の指の大きさや形状に適した矯正把持具を提供することができる。
【産業上の利用可能性】
【００２５】
本考案の矯正把持具は、指に装着して容易に取り外すことができ、適切な把持方法を習慣付けることができるものとして有用である。
【符号の説明】
【００２６】
１  矯正把持具
２  指留め部
３  把持部
４  当接面
５  反対面
６  当接窪み部
７  小指窪み部
【図１】
0003198529.tif 000003
【図２】
0003198529.tif 000004